(57)【要約】【課題】  スムーズに土を供給できる土詰めシステムおよびそのリターンコンベア装置の提供。【解決手段】  <i>コンベアにより搬送される土をその搬送終端から土詰め装置へ落下供給する土供給装置と、  <ii>その土供給装置から供給される土を受入するペーパーポットを載置する台板と、そのペーパーポットの外にこぼれた土を回収する回収コンベアを備えた土詰め装置と、<iii>その土詰め装置（Ｂ）の回収コンベア（６）から排出される土を受入するホッパ（２２）と、そのホッパ（２２）内の土を搬送する送給コンベア（２３）と、その送給コンベア（２３）からの土を揚送するバケットコンベア（１８）と、そのバケットコンベア（１８）からの土を上記土供給装置（Ａ）のコンベア（４）上に案内供給する、揺動自在な揺動シュート（４５）を備えた土詰め用リターンコンベア装置（Ｃ）とからなることを特徴とする土詰めシステム。【選択図】  図１
0003117825.tif 000002
【実用新案登録請求の範囲】
【請求項１】
<i>コンベア（４）により搬送される土をその搬送終端から土詰め装置（Ｂ）へ落下供給する土供給装置（Ａ）と、
<ii>その土供給装置（Ａ）から供給される土を受入するペーパーポット（１）を載置する台板（２）と、そのペーパーポット（１）の外にこぼれた土を回収する回収コンベア（６）を備えた土詰め装置（Ｂ）と、
<iii>その土詰め装置（Ｂ）の回収コンベア（６）から排出される土を受入するホッパ（２２）と、そのホッパ（２２）内の土を搬送する送給コンベア（２３）と、その送給コンベア（２３）からの土を揚送するバケットコンベア（１８）と、そのバケットコンベア（１８）からの土を上記土供給装置（Ａ）のコンベア（４）上に案内供給する、揺動自在な揺動シュート（４５）を備えた土詰め用リターンコンベア装置（Ｃ）とからなることを特徴とする土詰めシステム。
【請求項２】
上記揺動シュート（４５）を、スタンド（４４）により揺動自在に軸支するとともに、該揺動シュート（４５）を、その下面に固定された揺動アーム（４６）と所要の軌道上を回動する偏心軸（４７ａ）とをリンクロッド（５０）で接続することによって揺動させるようにしてなることを特徴とする請求項１記載の土詰めシステム。
【請求項３】
上記揺動シュート（４５）を、スタンド（４４）により揺動自在に軸支するとともに、該揺動シュート（４５）を、その下面に固定されたアーム（６１）を所要形状のカム（６６）に当接させ、そのカム（６６）の回転により揺動させるようにしてなることを特徴とする請求項１記載の土詰めシステム。
【請求項４】
土を受入するホッパ（２２）と、そのホッパ（２２）内の土を搬送する送給コンベア（２３）と、その送給コンベア（２３）からの土を上方に揚送するバケットコンベア（１８）と、そのバケットコンベア（１８）からの土を所要位置に案内供給する、揺動自在な揺動シュート（４５）とを備えてなることを特徴とする土詰め用リターンコンベア装置。
【請求項５】
上記揺動シュート（４５）を、スタンド（４４）により揺動自在に軸支するとともに、該揺動シュート（４５）を、その下面に固定された揺動アーム（４６）と所要の軌道上を回動する偏心軸（４７ａ）とをリンクロッド（５０）で接続することによって揺動させるようにしてなることを特徴とする請求項４記載の土詰め用リターンコンベア装置。
【請求項６】
上記揺動シュート（４５）を、スタンド（４４）により揺動自在に軸支するとともに、該揺動シュート（４５）を、その下面に固定されたアーム（６１）を所要形状のカム（６６）に当接させ、そのカム（６６）の回転により揺動させるようにしてなることを特徴とする請求項４記載の土詰め用リターンコンベア装置。
【考案の詳細な説明】
【技術分野】
【０００１】
本考案は、ビート等の作物移植用の紙製集合鉢であるペーパーポット（登録商標）への土詰め作業に用いる土詰めシステムと、そのリターンコンベア装置に関する。
【背景技術】
【０００２】
従来より、土詰め作業に用いる土詰め装置として、特許文献１や非特許文献１に記載されたものが知られている。
【０００３】
その土供給装置は、土供給ホッパ内の土をバケットコンベアにより上方に揚送し、これを傾斜させた供給樋（シュート）を通じて案内し、水平移送台上の育苗箱に落下させて供給するようにしているもので、これはさらに、その育苗箱内に入らずにこぼれた土を、その水平移送台の下方に別途配設した土回収装置で回収し、これを上記土供給ホッパに戻して上記バケットコンベアにより再び揚送するように構成されている。
【特許文献１】特許２７７７７６５号公報
【非特許文献１】スズテック、商品紹介、水稲関連機器，”ミニコン”、[online]、株式会社スズテック、[平成１７年１０月１９日検索]、インターネット＜ＵＲＬ： http://www.suzutec.co.jp/products/products.html＞
【考案の開示】
【考案が解決しようとする課題】
【０００４】
しかし、この装置では、土を案内する上記供給樋の内面に土が付着しやすく、供給樋内での土詰まりのために育苗箱へのスムーズな土の供給ができなくなる懸念がある。
【０００５】
そこで本考案は、スムーズに土を供給できる土詰めシステムおよびそのリターンコンベア装置の提供を課題とする。
【課題を解決するための手段】
【０００６】
請求項１記載の本考案は、<i>コンベア４により搬送される土をその搬送終端から土詰め装置Ｂへ落下供給する土供給装置Ａと、
<ii>その土供給装置Ａから供給される土を受入するペーパーポット１を載置する台板２と、そのペーパーポット１の外にこぼれた土を回収する回収コンベア６を備えた土詰め装置Ｂと、
<iii>その土詰め装置Ｂの回収コンベア６から排出される土を受入するホッパ２２と、そのホッパ２２内の土を搬送する送給コンベア２３と、その送給コンベア２３からの土を揚送するバケットコンベア１８と、そのバケットコンベア１８からの土を上記土供給装置Ａのコンベア４上に案内供給する、揺動自在な揺動シュート４５を備えた土詰め用リターンコンベア装置Ｃとからなる土詰めシステムである。
【０００７】
請求項２の記載の本考案は、上記揺動シュート４５を、スタンド４４により揺動自在に軸支するとともに、該揺動シュート４５を、その下面に固定された揺動アーム４６と所要の軌道上を回動する偏心軸４７ａとをリンクロッド５０で接続することによって揺動させるようにしてなる請求項１記載の土詰めシステムである。
【０００８】
請求項３記載の本考案は、上記揺動シュート４５を、スタンド４４により揺動自在に軸支するとともに、該揺動シュート４５を、その下面に固定されたアーム６１を所要形状のカム６６に当接させ、そのカム６６の回転により揺動させるようにしてなる請求項１記載の土詰めシステムである。
【０００９】
請求項４記載の本考案は、土を受入するホッパ２２と、そのホッパ２２内の土を搬送する送給コンベア２３と、その送給コンベア２３からの土を上方に揚送するバケットコンベア１８と、そのバケットコンベア１８からの土を所要位置に案内供給する、揺動自在な揺動シュート４５とを備えた土詰め用リターンコンベア装置Ｃである。
【００１０】
請求項５記載の本考案は、上記揺動シュート４５を、スタンド４４により揺動自在に軸支するとともに、該揺動シュート４５を、その下面に固定された揺動アーム４６と所要の軌道上を回動する偏心軸４７ａとをリンクロッド５０で接続することによって揺動させるようにしてなる請求項４記載の土詰め用リターンコンベア装置Ｃである。
【００１１】
請求項６記載の本考案は、上記揺動シュート４５を、スタンド４４により揺動自在に軸支するとともに、該揺動シュート４５を、その下面に固定されたアーム６１を所要形状のカム６６に当接させ、そのカム６６の回転により揺動させるようにしてなる請求項４記載の土詰め用リターンコンベア装置である。
【考案の効果】
【００１２】
本考案土詰めシステムおよびリターンコンベア装置によれば、土詰まりを起こすことなくスムーズに土を供給できる。
【考案を実施するための最良の形態】
【００１３】
以下、本考案を実施例により説明するが、本考案はこれに限られるものではない。
【実施例１】
【００１４】
まず本考案の実施例１について図１〜６により説明する。
Ａは土を搬送供給する土供給装置、Ｂはこの土供給装置Ａから供給される土を、載置しておいたペーパーポット１に詰められるようにした土詰め装置である。
【００１５】
上記土詰め装置Ｂは、台板２の上に、展開したペーパーポット１を載置できるようにしたもので、その台板２の四方に規制枠３……を起立させておくことで、そのペーパーポット１を四方から支えておくことができるものである。
上記土供給装置Ａは、コンベア４の搬送終端が上記ペーパポット１を載置する上記土詰め装置Ｂの台板２の上方に位置するよう配置され、そのコンベア４の駆動により、ホッパ５内の土を搬送し上記ペーパーポット１内に落下供給するようになっている。
また、台板２の上記土供給装置Ａ側およびその反対側（図１では台板２の左右）の下方には一対の回収コンベア６，６が配設されており、これにより上記規制枠３……を越えてペーパーポット１の外方へこぼれた土を土詰め装置Ｂの一側（図３では右側）へ排出するようになっている。
【００１６】
Ｃは、リターンコンベア装置で、これは、上記土詰め装置Ｂの回収コンベア６，６から排出される土を、上記土供給装置Ａのコンベア４に戻すものである。
【００１７】
以下、土詰め用リターンコンベア装置Ｃの構成について詳細に説明する。
１１は、所要高さの縦長筐体をなす土揚送部で、その筐体１１’の内部上方にはモーター１２で駆動される駆動軸１３が左右方向に横架され、また、その下方には従動軸１４が上記駆動軸１３と並行にして横架されている。
上記駆動軸１３には左右に間隔を空けてバケット用スプロケット１３’，１３’が、従動軸１４には同じく左右に間隔を空けてバケット用スプロケット１４’，１４’が固定されており、その左右の各バケット用スプロケット１３’，１４’の間には一対の無端状のバケット用チェーン１５，１５が掛け回されている。
【００１８】
上記一対のバケット用チェーン１５，１５間には、横長方形の壁板１６とその下縁に斜め上方に向けて連設された同じく横長方形の底板１６’からなる側面略Ｌ字形をなす複数のバケット１７……が取り付けられて、バケットコンベア１８を構成している。
そのバケット１７……の取付けは、各バケット１７……が上記駆動軸１３および従動軸１４に対して土揚送部１１の後面側（図１の右側）に来たときに該バケットの底板１６が下側に位置し、土揚送部１１の前面側に来たときに、該バケットの底板が上側に位置する向きにして、かつ、その壁板１５の上端において上記バケット用チェーン１５，１５に対して所要の取り付け金具により固定することにより行われている。
このバケット１７……は、上記モーター１２により駆動されるバケット用チェーン１５，１５により、上記土揚送部１１の後面側のものが上方、前面側のものが下方に移動する方向、すなわち図１で反時計回りに回動し、上記筐体１１’の下端の貯留部１９内の土を揚送する。
【００１９】
２１は、上記土揚送部１１の筐体１１’の下端の後面側に連設された土回収部で、それは、上記土詰め装置Ｂの回収コンベア６，６から排出される土を受け入れる土回収ホッパ２２と、その土回収ホッパ２２の底部に配設され、ホッパ２２の土を搬送し上記土揚送部１１の上記貯留部１９へ投入する送給コンベア２３を備えている。
【００２０】
上記送給コンベア２３は、上記土回収部２１の前側に横架された土回収コンベア用軸２４と、同土回収部２１の後側に横架された土回収コンベア用軸２５との間に無端状のコンベアベルト２６を掛け渡したもので、上記土回収コンベア用軸２４は、上記従動軸１４との間にチェーン２７を掛け渡すことにより、上記バケットコンベア１８に連動して駆動するようになっている。
【００２１】
３１は、上記土揚送部１１の筐体１１’の上端の前面に突出形成された土吐出部で、それは、上記バケットコンベア１８により揚送された土を、下面に開口した吐出口３１’から吐出するものである。
【００２２】
４１は、上記土揚送部１１の筐体１１’の前面の、上記土吐出部３１の下方に取り付けられたシュート支持部である。
このシュート支持部４１は、筐体１１’の前面に固定した左右一対のブラケット４２，４２間に支持台４３を取り付け、そこにスタンド４４を立設してなる。
上記スタンド４４は、前後一対の脚部４４ａ，４４ａの上端に略Ｕ字形の支持枠４４ｂを固定してなるもので、その支持枠４４ｂの各腕部４４ｃ，４４ｃに挿通した支持軸４５’により、断面半円形をなす樋状の揺動シュート４５を側方に向け、かつ、その上寄りの位置において上下揺動自在に軸支している。
上記揺動シュート４５は、上記土吐出部３１から吐出される土を案内し、所要の位置に落下させるようになっている。
【００２３】
４６は、上記スタンド４４の脚部４４ａ，４４ａの間に位置するように、上記揺動シュート４５の下面に一端を固定した弧状の揺動アームである。４６’は、その揺動アーム４６の下縁の所要の位置に取り付けられたブラケットである。
【００２４】
４７は、上記シュート４５の下方に、前後方向に向けて配設されたシュート揺動軸で、それは上記モータ１２により、チェーン４８ａ，スプロケットを固定した軸４８ｂ，チェーン８ｃ，ウォームギアを固定した軸４８ｄ等からなるギア機構４９を介し、上記バケットコンベア１８およびコンベアベルト２６とともに回転駆動される。
【００２５】
このシュート揺動軸４７の先端には当該シュート揺動軸４７に平行にしてかつ軸心をずらした偏心軸４７ａが固定されている。この偏心軸４７ａは、シュート揺動軸４７の回転により、該シュート揺動軸４７を中心とする円軌道上を回動するもので、この偏心軸４７ａと上記揺動アーム４６のブラケット４６’との間は、上記支持台４３の開口４３’に挿通したリンクロッド５０により接続されている。
したがって、上記揺動軸４７の回転により、上記偏心軸４７ａが上記揺動軸４７を中心とする円軌道上を回動し、これにより、上記揺動シュート４５は、上記リンクロッド５０によって、上記支持軸４５’を支点として上下に揺動させられるようになっている。
【００２６】
５１，５１は、上記土揚送部１１の下端の前面側のブラケット５２に挿通した軸の両端に固定された一対の移動用車輪、５３は、上記シュート支持部４１の前面に固定されたハンドルである。
【００２７】
この土詰め用リターンコンベア装置Ｃは、上記ハンドル５３を把持して、前方に傾けることで、上記移動用車輪５１，５１により、容易に移動させることができるようになっており、上記土回収ホッパ２２を、上記土詰め装置Ｂの回収コンベア６，６の終端の下方に位置させ、かつ、上記揺動シュート４５の先端を、上記土供給装置Ａのコンベア４の上方に位置させて配置して、本考案に係る土詰めシステムをなすもので、以下のように使用される。
【００２８】
すなわち、上記土詰め装置Ｂの台板２上に展開したペーパーポット１を載置し、その周囲を規制枠３……で規制した状態で、上記土供給装置Ａのホッパ５に土を供給し、そのコンベア４を駆動することにより、上記ペーパポット１に土が供給される。
このとき、上記規制枠３……を越えてこぼれた土は、上記土詰め装置Ｂの回収コンベア６，６状に落ち、該土詰め装置Ｂの一側に排出され、上記土詰め用リターンコンベア装置Ｃの土回収ホッパ２２内に落下する。
【００２９】
土回収ホッパ２２内の土は、上記送給コンベア２３により搬送され、貯留部１９へ投入される。
上記バケットコンベア１８は、貯留部１９内の土を掬い上げて上方に揚送し、上記土吐出部３１から吐出させる。
【００３０】
そして、その土吐出部３１からの土は揺動シュート４５に落下供給される土は、該揺動シュート４５に案内され、上記土供給装置Ａのコンベア４上に戻される。
このとき、揺動シュート４５は、上下に揺動するので、その内面に土が付着して土詰まりを起こすことがなく、スムーズに土を案内するようになっている。
【００３１】
土供給装置Ａのコンベア４上に戻された土は、上記ホッパ５からこのコンベア４上を搬送されてくる土と一緒に、再びペーパーポット１に供給されることになる。
【実施例２】
【００３２】
次に、本考案の実施例２について図７〜９により説明する。
本実施例の土詰め用リターンコンベア装置Ｃ’は、実施例１の土詰め用リターンコンベア装置Ｃとは、その揺動シュート４５を揺動させる機構が相違するだけのものであるから、その相違部分についてのみ説明する（同一部分には同一の符号を付すこととする。）。
本実施例の土詰め用リターンコンベア装置Ｃ’の揺動シュート４５は、実施例１のものと同様、支持軸４５’によりスタンド４４の支持枠４４ｂの各腕部４４ｃ，４４ｃに支持され、また、その下面に弧状の揺動アーム４６を取り付けている。
【００３３】
６１は、上記揺動アーム４６の所要位置に、その上端において取り付けられている補助アームである。この補助アーム６１はほぼ方形の上半部６１ａの下側に、斜め左方に伸びるカム受け部６１ｂを延長形成している板状のものである（図７，８）。
６２は、その補助アーム６１のカム受け部６１ｂ下端の前面側に立設された軸で、これにはベアリングを嵌合させてある。また、６３は、上記補助アーム６１の上半部の一側縁部（図７，８では右側）に後面側に折曲げて形成されたストッパー板である。
【００３４】
６４は、上記スタンド４４の一方の脚部４４ａの内側に取り付けられたブラケットで、そのブラケット６４の、上記アーム５１のストッパー板６３に対向する位置にはゴム製のストッパー６５が取り付けられている。
【００３５】
上記揺動シュート４５は、その上寄りの位置で上記支持軸４５’により軸支されているから、その自重により下方（図７，８では時計回り）に回動しようとするが、上記ストッパー板６３が、ストッパー６５に当接する下位置（図７）で下方への回動を規制されるようになっている。
【００３６】
６６は、卵形をなすカムで、その長径方向一側において上記実施例１で説明したのと同様のシュート揺動軸４７に取り付けられ、そのシュート揺動軸４７により回転するようになっている。このカム６６の外縁は上記軸６２（のベアリング）に当接するようになっており、その揺動軸４７の回転に伴いその長径方向他側を上記軸６２に当接させるときに、該軸６２を介して上記揺動アーム４６を押動し、上記揺動シュート４５を上方に回動させ（図８）、また、その他の部分を上記軸６２に当接させる時には、上記揺動シュート４５は、上記ストッパー板６３がストッパー６５に当接させる下位置にまで、その自重により戻る（図７）。
したがって、上記揺動軸４７を一定速度により回転させることにより、上記揺動シュート４５を揺動（振動）させるようになっている。
【００３７】
なお、上記シュート４５は、上記のように上下に揺動させる代わりに、あるいは上下揺動とともに、水平面内で左右に揺動するよう構成するのも好ましい。
【図面の簡単な説明】
【００３８】
【図１】本考案の実施例１に係る土詰めシステムの側面図である。
【図２】図１の要部拡大図である。
【図３】同システムの背面図である。
【図４】同上の平面図である。
【図５】リターンコンベア装置の要部の正面図である。
【図６】同上の駆動機構図である。
【図７】本考案の実施例２に係るリターンコンベア装置の要部の正面図である。
【図８】図７の状態からカムが回転し、シュートが上昇回動された状態の正面図である。
【図９】図７のＩ−Ｉ線断面図である。
【符号の説明】
【００３９】
Ａ    土供給装置
Ｂ    土詰め装置
Ｃ    リターンコンベア装置
１    ペーパーポット
２    台板
６    排出コンベア
１８  バケットコンベア
２２  ホッパ
２３  土回収コンベア
４４  スタンド
４６  揺動アーム
４７ａ  偏心軸
４５  揺動シュート
４５’  支持軸
５０  リンクロッド
【図１】
0003117825.tif 000003
【図２】
0003117825.tif 000004
【図３】
0003117825.tif 000005
【図４】
0003117825.tif 000006
【図５】
0003117825.tif 000007
【図６】
0003117825.tif 000008
【図７】
0003117825.tif 000009
【図８】
0003117825.tif 000010
【図９】
0003117825.tif 000011